【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
キャリア指示情報が有効化されることを示す制御シグナリングを受信することと、ここにおいて、前記キャリア指示情報が有効化されることを示す前記制御シグナリングは、第１のタイプの制御チャネルと第２のタイプの制御チャネルとの両方のための共通制御信号を備え、前記共通制御信号は、前記キャリア指示情報が前記第１のタイプの制御チャネルと前記第２のタイプの制御チャネルとの両方のために有効化されることを示す、
第１のコンポーネントキャリアと第２のコンポーネントキャリアとを受信することと、前記第１のコンポーネントキャリアは、
前記第１のコンポーネントキャリアまたは前記第２のコンポーネントキャリアのうちの少なくとも１つのためのリソースをスケジュールするように構成された第１の制御チャネル、ここにおいて、前記第１の制御チャネルは前記第１のタイプの制御チャネルである、または、
前記第１のコンポーネントキャリアまたは前記第２のコンポーネントキャリアのうちの少なくとも１つのためのリソースをスケジュールするように構成された第２の制御チャネル、ここにおいて、前記第２の制御チャネルは前記第２のタイプの制御チャネルである、
のうちの１つを含むサブフレームと、
第１のタイプの制御チャネルまたは前記第２のタイプの制御チャネルに位置付けられており、値を有している前記キャリア指示情報と、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
を備え、
前記第１の制御チャネルまたは前記第２の制御チャネルに基づいて、前記キャリア指示情報の前記値に従って、前記サブフレームを処理することと、
を備える、方法。
【請求項２】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項１に記載の方法。
【請求項３】
前記第１のコンポーネントキャリアは、１次コンポーネントキャリアとして構成され、前記第２のコンポーネントキャリアは、２次コンポーネントキャリアとして構成される、請求項１に記載の方法。
【請求項４】
前記第１の制御チャネルまたは前記第２の制御チャネルを備え、前記キャリア指示情報を備える前記第１のコンポーネントキャリアは、第１の２次コンポーネントキャリアとして構成され、前記第２のコンポーネントキャリアは、第２の２次コンポーネントキャリアとして構成される、請求項１に記載の方法。
【請求項５】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成される、請求項１に記載の方法。
【請求項６】
前記第１の制御チャネルのために構成された第１の探索空間と、前記第２の制御チャネルのために構成された第２の探索空間とを監視することをさらに備え、前記第１と前記第２の探索空間は、リソースの前記共通セットを共有する、請求項５に記載の方法。
【請求項７】
前記第２の探索空間は、前記第１の探索空間からオフセットされる、請求項６に記載の方法。
【請求項８】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルの両方のための前記第１のコンポーネントキャリアを識別する、請求項１に記載の方法。
【請求項９】
前記キャリア指示情報の前記値は、無線リソース制御（ＲＲＣ）構成に基づいて前記第２の制御チャネル中に含まれる、請求項１に記載の方法。
【請求項１０】
前記サブフレームは前記第１の制御チャネルを含む第１のサブフレームであり、
前記第２の制御チャネルは第２のサブフレーム中に含まれ、
前記第１のサブフレームは前記第２のサブフレームとは異なる、
請求項１に記載の方法。
【請求項１１】
前記第２の制御チャネルのために構成されたＵＥ固有探索空間を監視することをさらに備える、請求項１に記載の方法。
【請求項１２】
前記キャリア識別情報は、異なるサブフレーム中でクロスキャリアスケジューリングのために、前記第１のタイプの制御チャネルが使用されるか、前記第２のタイプの制御チャネルが使用されるかを識別するために使用される、請求項１に記載の方法。
【請求項１３】
前記サブフレームを、前記第１の制御チャネルに基づいて処理するか、前記第２の制御チャネルに基づいて処理するかを決定することをさらに備え、
前記決定は、前記受信されたキャリア指示情報の前記値に基づく、請求項１に記載の方法。
【請求項１４】
前記第１のタイプの制御チャネルと前記第２のタイプの制御チャネルとは、両方ともダウンリンク制御チャネルであり、前記キャリア指示情報が有効化されることを示す前記制御シグナリングは、前記キャリア指示情報が前記第１のタイプの制御チャネルと前記第２のタイプの制御チャネルとの両方のために有効化されることを示す、請求項１に記載の方法。
【請求項１５】
前記第１のタイプの制御チャネルは、レガシー物理ダウンリンク制御チャネル（ＰＤＣＣＨ）を備え、前記第２のタイプの制御チャネルは、拡張物理ダウンリンク制御チャネル（ＥＰＤＣＣＨ）を備え、前記キャリア指示情報が有効化されることを示す前記制御シグナリングは、前記キャリア指示情報が前記レガシーＰＤＣＣＨと前記ＥＰＤＣＣＨとの両方のために有効化されることを示す、請求項１に記載の方法。
【請求項１６】
ユーザ機器におけるワイヤレス通信のための装置であって、
キャリア指示情報が有効化されることを示す制御シグナリングを受信し、第１のコンポーネントキャリアと第２のコンポーネントキャリアとを受信するための手段と、ここにおいて、前記キャリア指示情報が有効化されることを示す前記制御シグナリングは、第１のタイプの制御チャネルと第２のタイプの制御チャネルとの両方のための共通制御信号を備え、前記共通制御信号は、前記キャリア指示情報が前記第１のタイプの制御チャネルと前記第２のタイプの制御チャネルとの両方のために有効化されることを示し、前記第１のコンポーネントキャリアは、
前記第１のコンポーネントキャリアまたは前記第２のコンポーネントキャリアのうちの少なくとも１つのためのリソースをスケジュールするように構成された第１の制御チャネル、ここにおいて、前記第１の制御チャネルは前記第１のタイプの制御チャネルである、または、
前記第１のコンポーネントキャリアまたは前記第２のコンポーネントキャリアのうちの少なくとも１つのためのリソースをスケジュールするように構成された第２の制御チャネル、ここにおいて、前記第２の制御チャネルは前記第２のタイプの制御チャネルである、
のうちの１つを含むサブフレームと、
第１のタイプの制御チャネルまたは前記第２のタイプの制御チャネルに位置付けられており、値を有している前記キャリア指示情報と、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
を備え、
前記第１の制御チャネルまたは第２の制御チャネルに基づいて、前記キャリア指示情報の前記値に従って、前記サブフレームを処理するための手段と
を備える、装置。
【請求項１７】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項１６に記載の装置。
【請求項１８】
前記第１のコンポーネントキャリアは、１次コンポーネントキャリアとして構成され、前記第２のコンポーネントキャリアは、２次コンポーネントキャリアとして構成される、請求項１６に記載の装置。
【請求項１９】
前記第１の制御チャネルまたは前記第２の制御チャネルを備え、前記キャリア指示情報を備える前記第１のコンポーネントキャリアは、第１の２次コンポーネントキャリアとして構成され、前記第２のコンポーネントキャリアは、第２の２次コンポーネントキャリアとして構成される、請求項１６に記載の装置。
【請求項２０】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成される、請求項１６に記載の装置。
【請求項２１】
前記第１の制御チャネルのために構成された第１の探索空間と、前記第２の制御チャネルのために構成された第２の探索空間とを監視するための手段をさらに備え、前記第１と前記第２の探索空間は、リソースの前記共通セットを共有する、請求項２０に記載の装置。
【請求項２２】
前記第２の探索空間は、前記第１の探索空間からオフセットされる、請求項２１に記載の装置。
【請求項２３】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルの両方のための前記第１のコンポーネントキャリアを識別する、請求項１６に記載の装置。
【請求項２４】
前記キャリア指示情報の前記値は、無線リソース制御（ＲＲＣ）構成に基づいて前記第２の制御チャネル中に含まれる、請求項１６に記載の装置。
【請求項２５】
前記サブフレームは前記第１の制御チャネルを含む第１のサブフレームであり、
前記第２の制御チャネルは第２のサブフレーム中に含まれ、
前記第１のサブフレームは前記第２のサブフレームとは異なる、
請求項１６に記載の装置。
【請求項２６】
前記第２の制御チャネルのために構成されたＵＥ固有探索空間を監視するための手段をさらに備える、請求項１６に記載の装置。
【請求項２７】
前記キャリア識別情報は、異なるサブフレーム中でクロスキャリアスケジューリングのために、前記第１のタイプの制御チャネルが使用されるか、前記第２のタイプの制御チャネルが使用されるかを識別するために使用される、請求項１６に記載の装置。
【請求項２８】
ユーザ機器におけるワイヤレス通信のための装置であって、
メモリと、
前記メモリに結合され、
キャリア指示情報が有効化されることを示す制御シグナリングを受信することと、ここにおいて、前記キャリア指示情報が有効化されることを示す前記制御シグナリングは、第１のタイプの制御チャネルと第２のタイプの制御チャネルとの両方のための共通制御信号を備え、前記共通制御信号は、前記キャリア指示情報が前記第１のタイプの制御チャネルと前記第２のタイプの制御チャネルとの両方のために有効化されることを示す、
第１のコンポーネントキャリアと第２のコンポーネントキャリアとを受信することと、前記第１のコンポーネントキャリアは、
前記第１のコンポーネントキャリアまたは前記第２のコンポーネントキャリアのうちの少なくとも１つのためのリソースをスケジュールするように構成された第１の制御チャネルと、ここにおいて、前記第１の制御チャネルは前記第１のタイプの制御チャネルである、
前記第１のコンポーネントキャリアまたは前記第２のコンポーネントキャリアのうちの少なくとも１つのためのリソースをスケジュールするように構成された第２の制御チャネルと、ここにおいて、前記第２の制御チャネルは前記第２のタイプの制御チャネルである、
のうちの１つを含むサブフレームと、
第１のタイプの制御チャネルまたは前記第２のタイプの制御チャネルに位置付けられており、値を有している前記キャリア指示情報と、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
を備え、
前記第１の制御チャネルまたは第２の制御チャネルに基づいて、前記キャリア指示情報の前記値に従って、前記サブフレームを処理することと、
を行うように構成された少なくとも１つのプロセッサと
を備える、装置。
【請求項２９】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項２８に記載の装置。
【請求項３０】
前記第１のコンポーネントキャリアは、１次コンポーネントキャリアとして構成され、前記第２のコンポーネントキャリアは、２次コンポーネントキャリアとして構成される、請求項２８に記載の装置。
【請求項３１】
前記第１の制御チャネルまたは前記第２の制御チャネルを備え、前記キャリア指示情報を備える前記第１のコンポーネントキャリアは、第１の２次コンポーネントキャリアとして構成され、前記第２のコンポーネントキャリアは、第２の２次コンポーネントキャリアとして構成される、請求項２８に記載の装置。
【請求項３２】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成される、請求項２８に記載の装置。
【請求項３３】
前記少なくとも１つのプロセッサは、前記第１の制御チャネルのために構成された第１の探索空間と、前記第２の制御チャネルのために構成された第２の探索空間とを監視するようにさらに構成され、前記第１と前記第２の探索空間は、リソースの前記共通セットを共有する、請求項３２に記載の装置。
【請求項３４】
前記第２の探索空間は、前記第１の探索空間からオフセットされる、請求項３３に記載の装置。
【請求項３５】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルの両方のための前記第１のコンポーネントキャリアを識別する、
請求項２８に記載の装置。
【請求項３６】
前記キャリア指示情報の前記値は、無線リソース制御（ＲＲＣ）構成に基づいて前記第２の制御チャネル中に含まれる、請求項２８に記載の装置。
【請求項３７】
前記サブフレームは前記第１の制御チャネルを含む第１のサブフレームであり、
前記第２の制御チャネルは第２のサブフレーム中に含まれ、
前記第１のサブフレームは前記第２のサブフレームとは異なる、
請求項２８に記載の装置。
【請求項３８】
前記少なくとも１つのプロセッサは、前記第２の制御チャネルのために構成されたＵＥ固有探索空間を監視するようにさらに構成される、請求項２８に記載の装置。
【請求項３９】
前記キャリア識別情報は、異なるサブフレーム中でクロスキャリアスケジューリングのために、前記第１のタイプの制御チャネルが使用されるか、前記第２のタイプの制御チャネルが使用されるかを識別するために使用される、請求項２８に記載の装置。
【請求項４０】
ユーザ機器におけるワイヤレス通信のためのコンピュータ実行可能コードを記憶する、非一時的コンピュータ可読媒体であって、
キャリア指示情報が有効化されることを示す制御シグナリングを受信することと、ここにおいて、前記キャリア指示情報が有効化されることを示す前記制御シグナリングは、第１のタイプの制御チャネルと第２のタイプの制御チャネルとの両方のための共通制御信号を備え、前記共通制御信号は、前記キャリア指示情報が前記第１のタイプの制御チャネルと前記第２のタイプの制御チャネルとの両方のために有効化されることを示す、
第１のコンポーネントキャリアと第２のコンポーネントキャリアとを受信することと、前記第１のコンポーネントキャリアは、
前記第１のコンポーネントキャリアまたは前記第２のコンポーネントキャリアのうちの少なくとも１つのためのリソースをスケジュールするように構成された第１の制御チャネル、ここにおいて、前記第１の制御チャネルは前記第１のタイプの制御チャネルである、または、
前記第１のコンポーネントキャリアまたは前記第２のコンポーネントキャリアのうちの少なくとも１つのためのリソースをスケジュールするように構成された第２の制御チャネル、ここにおいて、前記第２の制御チャネルは前記第２のタイプの制御チャネルである、
のうちの１つを含むサブフレームと、
第１のタイプの制御チャネルまたは前記第２のタイプの制御チャネルに位置付けられており、値を有している前記キャリア指示情報と、を備え、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
前記第１の制御チャネルまたは前記第２の制御チャネルに基づいて、前記キャリア指示情報の値に従って、前記サブフレームを処理することと、
を行うためのコードを備える、非一時的コンピュータ可読媒体。